(57)【要約】      （修正有）【課題】カメラの撮像画像に含まれる多くの情報の中からユーザーが所望する情報を絞り込んで表示する技術を提供する。【解決手段】情報処理装置１は、カメラ３０と、タッチパネル式のディスプレイ４０と、カメラ３０による撮像画像に写った複数の文書のそれぞれを区別して認識する文書認識部１０１と、文書認識部１０１により認識された各文書に付されたタグからその文書のメタ情報を取得する文書メタ情報取得部１０２と、文書メタ情報取得部１０２により取得されたメタ情報に基づいて、文書認識部１０１により認識された各文書の優先度を決定する文書優先度決定部１０３と、カメラ３０による撮像画像に写った複数の文書のうち優先度が高いものをディスプレイ４０に拡大表示する文書拡大表示部１０５と、を備える。【選択図】図２
2019020843.tif 000002
【特許請求の範囲】
【請求項１】
カメラと、
タッチパネル式のディスプレイと、
前記カメラによる撮像画像に写った複数の文書のそれぞれを区別して認識する文書認識部と、
前記文書認識部により認識された各文書に付されたタグを検出し、当該検出したタグにより示される、文書のメタ情報を取得する文書メタ情報取得部と、
前記文書メタ情報取得部により取得されたメタ情報に基づいて、前記文書認識部により認識された各文書についてそれぞれの優先度を決定する文書優先度決定部と、
前記カメラによる撮像画像に写った複数の文書のうち、前記優先度が高いものを前記ディスプレイに拡大表示する文書拡大表示部と、を備えた情報処理装置。
【請求項２】
前記文書拡大表示部は、前記ディスプレイに対するユーザーの操作に応じて、前記カメラによる撮像画像を表示する一覧モードと、前記複数の文書のうちの個別の文書を拡大表示する閲覧モードとを切り替える請求項１に記載の情報処理装置。
【請求項３】
前記文書拡大表示部は、前記各文書のメタ情報から個別情報を取得し、前記一覧モードにおいて、前記カメラによる撮像画像に写った各文書に、該文書の前記個別情報を重ねて、前記ディスプレイに表示する請求項２に記載の情報処理装置。
【請求項４】
スケジュール管理機能に用いられるスケジュール帳データを記憶する記憶部と、
前記文書認識部により認識された各文書からその文書中に記述された日時情報を認識し、当該日時情報を前記スケジュール帳データに追加するスケジュール連携部と、を更に備えた請求項１乃至請求項３のいずれかに記載の情報処理装置。
【請求項５】
カメラによる撮像画像に写った複数の文書のそれぞれを区別して認識する文書認識部と、
前記文書認識部により認識された各文書に付されたタグを検出し、当該検出したタグにより示される、文書のメタ情報を取得する文書メタ情報取得部と、
前記文書メタ情報取得部により取得されたメタ情報に基づいて、前記文書認識部により認識された各文書についてそれぞれの優先度を決定する文書優先度決定部と、
前記カメラによる撮像画像に写った複数の文書のうち、前記優先度が高いものをディスプレイに拡大表示する文書拡大表示部としてコンピューターを機能させる情報処理プログラム。
【請求項６】
前記文書拡大表示部が、前記ディスプレイに対するユーザーの操作に応じて、前記カメラによる撮像画像を表示する一覧モードと前記複数の文書のうちの個別の文書を拡大表示する閲覧モードとを切り替えるように、コンピューターを更に機能させる請求項５に記載の情報処理プログラム。
【請求項７】
前記文書拡大表示部が、前記一覧モードにおいて、前記カメラによる撮像画像に写った各文書にその文書の個別情報を重ねて前記ディスプレイに表示するように、コンピューターを更に機能させる請求項６に記載の情報処理プログラム。
【請求項８】
前記文書認識部により認識された各文書からその文書中に記述された日時情報を認識し、当該日時情報をスケジュール帳データに追加するスケジュール連携部として、コンピューターを更に機能させる請求項５乃至請求項７のいずれかに記載の情報処理プログラム。
【発明の詳細な説明】
【技術分野】
【０００１】
本発明は情報処理装置及び情報処理プログラムに関し、特に、カメラの撮像画像に含まれる多くの情報の中からユーザーが所望する情報を絞り込んで表示する技術に関する。
【背景技術】
【０００２】
自動車などの乗り物に運転者の利便性を向上するために運転者に情報を表示するヘッド・アップ・ディスプレイ（ＨＵＤ）が搭載されることがある。例えば、下記特許文献１には、起点位置と目的位置を受信して、該起点位置から該目的位置へ至る経路を生成するように構成され、前記経路の１つ又は複数の部分は、１つ又は複数の道路区間、又は該道路区間の１つ又は複数の交差点に対応する１つ又は複数のナビゲーション命令を含み、１つの乗り物に対応づけられているナビゲーション・コンポーネントと、１つ又は複数のグラフィック要素を、該乗り物を囲む環境の周囲にある１つ又は複数の焦点面上に投影するヘッド・アップ・ディスプレイ・コンポーネントと、１つ又は複数の該グラフィック要素の１つ又は複数の該焦点面と該乗り物との間の距離を、該経路の１つ又は複数の部分に対応する１つ又は複数の道路状況及び、該乗り物の現在位置に基づいて調整する制御コンポーネントと、を含むことを特徴とする、３次元ナビゲーション・システムが開示されている。
【先行技術文献】
【特許文献】
【０００３】
【特許文献１】特開２０１５−６９６５６号公報
【発明の概要】
【発明が解決しようとする課題】
【０００４】
ＨＵＤにより表示される情報は、運転者が運転している間、拡張現実要素として乗り物のフロントガラスに投影されて、運転者の視界に提示される。運転者の視界に拡張現実要素として情報を表示することで、運転者は、提示された情報を運転中に見るために、フロントガラスから目を離す（例えば、センターダッシュボード上の計器表示の方を向く）必要がなくなる。しかしながら、ユーザーの視界に拡張現実要素を多く表示してしまうとユーザーが認識すべきオブジェクトが増えてしまい、ユーザーが本当に必要とする情報を素早く探し出せなくなるおそれがある。
【０００５】
本発明は、上記の事情に鑑みてなされたものであり、カメラの撮像画像に含まれる多くの情報の中からユーザーが所望する情報を絞り込んで表示することを目的とする。
【課題を解決するための手段】
【０００６】
本発明の一局面に係る情報処理装置は、カメラと、タッチパネル式のディスプレイと、前記カメラによる撮像画像に写った複数の文書のそれぞれを区別して認識する文書認識部と、前記文書認識部により認識された各文書に付されたタグを検出し、当該検出したタグにより示される、文書のメタ情報を取得する文書メタ情報取得部と、前記文書メタ情報取得部により取得されたメタ情報に基づいて、前記文書認識部により認識された各文書についてそれぞれの優先度を決定する文書優先度決定部と、前記カメラによる撮像画像に写った複数の文書のうち、前記優先度が高いものを前記ディスプレイに拡大表示する文書拡大表示部と、を備えたものである。
【０００７】
また、本発明の一局面に係る情報処理プログラムは、カメラによる撮像画像に写った複数の文書のそれぞれを区別して認識する文書認識部と、前記文書認識部により認識された各文書に付されたタグを検出し、当該検出したタグにより示される、文書のメタ情報を取得する文書メタ情報取得部と、前記文書メタ情報取得部により取得されたメタ情報に基づいて、前記文書認識部により認識された各文書についてそれぞれの優先度を決定する文書優先度決定部と、前記カメラによる撮像画像に写った複数の文書のうち、前記優先度が高いものをディスプレイに拡大表示する文書拡大表示部としてコンピューターを機能させるものである。
【発明の効果】
【０００８】
上記の本発明によれば、カメラの撮像画像に含まれる多くの情報の中からユーザーが所望する情報を絞り込んで表示することができる。
【図面の簡単な説明】
【０００９】
【図１】本発明の一実施形態に係る情報処理装置の外観図である
【図２】本発明の一実施形態に係る情報処理装置のブロック図である。
【図３】本発明の一実施形態に係る情報処理装置による文書認識・拡大表示処理のフローチャートである。
【図４】掲示板に掲示された複数の文書の例を示す図である。
【図５】閲覧モードでの文書の拡大表示例を示す図である。
【図６】一覧モードでの文書の一覧表示例を示す図である。
【発明を実施するための形態】
【００１０】
以下、本発明の一実施形態に係る情報処理装置について図面を参照して説明する。図１は、本発明の一実施形態に係る情報処理装置１の外観図である。情報処理装置１は、縦長矩形の偏平な外観形状を有し、片手で操作することができる大きさの端末である。例えば、情報処理装置１は、一般にスマートフォンと呼ばれる端末である。例えば、情報処理装置１の前面のほぼ全体をカバーするようにタッチパネル式のディスプレイ４０が配置されている。
【００１１】
典型的にはディスプレイ４０の画面の大きさは５〜６インチ前後であるが、情報処理装置１はこれに限定されない。なお、９インチ程度以上の大型画面のディスプレイ４０を有する端末は一般にタブレット端末と呼ばれ、情報処理装置１は当該タブレット端末であってもよい。タブレット端末は片手で操作することが困難であり、一方の手で持って他方の手で操作するか、机上等に置いて使用する。
【００１２】
なお、情報処理装置１の外面にはディスプレイ４０にカメラ、スピーカー、ＬＥＤ（Light Emitting Diode）、ハードボタンなどが配置されているが、便宜上、図１ではそのような部材の図示を省略している。
【００１３】
図２は、本発明の一実施形態に係る情報処理装置のブロック図である。情報処理装置１は、制御ユニット１０、メモリー２０、カメラ３０、ディスプレイ４０、ネットワークインターフェイス５０、マイクロフォン６０、及びスピーカー７０を備える。これら要素はバス８０に接続されている。
【００１４】
メモリー２０は、制御ユニット１０で実行されるコンピュータープログラムや長期間保存すべきデータや電子ファイルなどを格納したり、制御ユニット１０で処理されるデータを一時的に保存したりする。メモリー２０は、例えば、ＳＲＡＭ（Static Random Access Memory）やフラッシュメモリーなどの不揮発性メモリーで構成される。
【００１５】
カメラ３０は、図略の光学系及びＣＭＯＳイメージセンサーなどを備え、光学系が捉えた光学像をイメージセンサーで光電変換して画像データを生成する。
【００１６】
ディスプレイ４０は、液晶ディスプレイや有機ＥＬディスプレイなどで構成され、カメラ３０で撮像された画像や制御ユニット１０で処理されたテキストデータや画像などを表示する。特にディスプレイ４０はタッチパネル機能を有しており、ユーザーはディスプレイ４０に表示されたボタンやアイコンをタッチ操作したり、ディスプレイ４０の表示画面をスワイプ操作やフリック操作したりすると、当該操作がタッチパネル機能により制御ユニット１０の制御部１００に送出される。例えば、制御ユニット１０の制御部１００は、当該操作が示す内容に応じて、情報処理装置１を動作制御する。
【００１７】
ネットワークインターフェイス５０は、無線Ｗｉ−Ｆｉ（登録商標）、ＢＬＵＥＴＯＯＴＨ（登録商標）、セルラー通信などの無線通信インターフェイスである。情報処理装置１は、ネットワークインターフェイス５０を通じてインターネットに接続してクラウドサーバーなどにアクセスする。
【００１８】
マイクロフォン６０は、情報処理装置１のユーザーの音声や周囲の音を集音して音声信号を生成する。スピーカー７０は、制御ユニット１０で生成された音声信号を音として出力し、アラーム音を出力する。
【００１９】
制御ユニット１０は、プロセッサー、ＲＡＭ、ＲＯＭ及び専用のハードウェア回路等から構成される。プロセッサーは、例えば、ＣＰＵ、ＭＰＵ、ＡＳＩＣ等である。制御ユニット１０は、例えば、メモリー２０に記憶されている各コンピュータープログラムを実行して、情報処理装置１に様々な機能を実現させる。例えば、制御ユニット１０は、上記コンピュータープログラムの１つである情報処理プログラムを実行して、情報処理装置１に、カメラ３０の撮像画像を処理する装置として機能させることができる。本実施形態では、制御ユニット１０は、情報処理プログラムを実行することで、文書認識部１０１、文書メタ情報取得部１０２、文書優先度決定部１０３、スケジュール連携部１０４、及び文書拡大表示部１０５として機能する。
【００２０】
制御部１００は、情報処理装置１の全体的な動作制御を司る。
【００２１】
文書認識部１０１は、カメラ３０による撮像画像に写った複数の文書のそれぞれを区別して認識する。文書にＡＲ（Augmented Reality）マーカー又はタグなどの特定のマーカーが付されていれば、文書認識部１０１は、カメラ３０の撮像画像に写った当該マーカーを既知の方法により検出し、当該マーカーが付された画像を文書として認識する。さらに、文書認識部１０１は、ＯＣＲ（Optical Character Recognition）技術を用いて、文書中の文字列を認識する。
【００２２】
なお、文書に上記マーカーが付されていなくても、文書認識部１０１は、カメラ３０の撮像画像中の矩形オブジェクトをパターンマッチング技術等により検出して、当該検出した矩形オブジェクトを文書として認識することも可能である。
【００２３】
文書メタ情報取得部１０２は、文書認識部１０１により認識された各文書に付されたマーカーにより示される、文書のメタ情報を取得する。文書のメタ情報は例えばその文書の重要度、期日、対象地域、対象年齢層、対象家族構成などである。本実施形態では、(1)メタ情報を例えばエンコードして例えばタグとして文書に付しておくものとし、文書メタ情報取得部１０２は、当該タグを例えばデコードしてメタ情報を取得する。或いは、(2)文書メタ情報取得部１０２は、文書認識部１０１により認識される各ＡＲマーカーに対応するそれぞれのメタ情報を記憶しており、認識されたＡＲマーカーに対応するメタ情報を読み出すことでメタ情報を取得する。
【００２４】
文書優先度決定部１０３は、文書メタ情報取得部１０２により取得されたメタ情報に基づいて、文書認識部１０１により認識された各文書の優先度を決定する。文書優先度決定部１０３は、文書の優先度を、文書のメタ情報と、現在の日時条件（曜日、日付、時間など）や現在の居場所条件（都道府県、市町村、現在地など）といった、情報処理装置１が置かれた状況、及びユーザーの性別、年齢、家族構成といった情報処理装置１に登録されたパーソナルデータとに基づいて決定する。
【００２５】
例えば、文書優先度決定部１０３は、現在時に期日が近ければその文書の優先度は高く、逆に期日を過ぎていれば過ぎた分に応じてその文書の優先度を低くする。また、文書優先度決定部１０３は、文書の対象地域が情報処理装置１の現在位置に一致する、あるいは、文書の対象年齢層、対象家族構成が、メモリー２０に登録されているパーソナルデータと一致すれば、その文書の優先度を高くし、現在位置に一致しない又は登録されているパーソナルデータと一致しない場合には、一致する場合よりも優先度を低くする。なお、文書優先度決定部１０３は、現在日時は制御ユニット１０が有するカレンダー及び時計機能から取得し、現在の居場所は制御ユニット１０が有するＧＰＳ（Global Positioning System）機能から取得する。
【００２６】
さらに文書優先度決定部１０３は、各文書の既読情報も加味してその文書の優先度を決定する。例えば、文書優先度決定部１０３は、既読フラグが設定されている文書については、上記の他の要素に基づいて決定した優先度に拘わらず、優先度を最も低くする。
【００２７】
スケジュール連携部１０４は、文書認識部１０１により認識された各文書からその文書中に記述された日時情報を認識し、当該日時情報をスケジュール帳データに追加する。制御ユニット１０は、メモリー２０に記憶されたスケジュールプログラムに従った動作によりスケジュール管理機能を発揮する。メモリー２０には、当該スケジュール管理機能に用いられるスケジュール帳データとして、スケジュール情報が保管されている。文書認識部１０１により認識された文書にイベントの開催日時などが記載されている場合、スケジュール連携部１０４は、当該日時情報を認識して、当該イベントの開催日時を、メモリー２０に保管されるスケジュール帳データに追加する。
【００２８】
文書拡大表示部１０５は、カメラ３０による撮像画像に写った複数の文書のうち優先度が高いものをディスプレイ４０に拡大表示する。すなわち、文書拡大表示部１０５は、ユーザーが画像拡大の操作をしなくても、カメラ３０で撮影した複数の文書の中から優先度の高いものを選択し、当該文書を拡大してディスプレイ４０に表示する。
【００２９】
また、文書拡大表示部１０５は、カメラ３０による撮像画像を表示する一覧モードと、複数の文書のうちの個別の文書を拡大表示する閲覧モードとで、ディスプレイ４０での表示を行う。文書拡大表示部１０５は、ディスプレイ４０に対するユーザーの操作に応じて、一覧モードと閲覧モードとを切り替える。一覧モードでは複数の文書が表示されるが、ディスプレイ４０の画面サイズ及び解像度の制約から、ユーザーは各文書の内容を読むことは困難である。一方、閲覧モードでは個別の文書が拡大表示されることにより、ユーザーはその文書の内容を比較的容易に読むことができる。
【００３０】
さらに文書拡大表示部１０５は、一覧モードにおいて、カメラ３０による撮像画像に写った各文書にその文書の個別情報を重ねてディスプレイ４０に表示する。例えば、文書拡大表示部１０５は、文書のメタ情報から、重要度や既読日時などの個別情報を取得し、当該取得した個別情報を当該文書に重ねて表示する。ユーザーは各文書に重ねて表示された個別情報を見てその文書を読むべきかどうかを判断することができ、読みたい文書は閲覧モードにして読むことができる。
【００３１】
次に、情報処理装置１による文書認識・拡大表示処理について説明する。図３は、情報処理装置１による文書認識・拡大表示処理のフローチャートである。なお、便宜のため、処理対象となる文書は図４に示した掲示板に掲示された複数の文書であるとして説明する。図４において各文書に付した「Ｄｏｃ−○」（○はアルファベット）は、各文書を区別するための参照符号であり、実際の文書に記載されている文字ではない。
【００３２】
まず、情報処理装置１におけるカメラ機能をオンにして、カメラ３０により掲示板を撮影する。なお、カメラ３０の撮像画像は静止画像及び動画による画像のいずれでもよい。文書認識部１０１は、カメラ３０による撮像画像を取得する（Ｓ１）。
【００３３】
カメラ３０により撮像画像が取得されると、文書認識部１０１は、当該撮像画像中に存在する各マーカーを認識し、マーカーが付されたそれぞれの画像を別々の文書として認識する（Ｓ２）。文書認識部１０１は、マーカーが付されていない場合には、撮像画像中の矩形オブジェクトを認識してそれを文書として認識するようにしてもよい。
【００３４】
カメラ３０の撮像画像に写った各文書が文書認識部１０１により認識されると、文書メタ情報取得部１０２が、文書認識部１０１により認識された各文書に付されたマーカーに基づいて、それぞれの文書のメタ情報を取得する（Ｓ３）。
【００３５】
続いて、文書優先度決定部１０３は、文書メタ情報取得部１０２により取得された各文書のメタ情報に基づいて、各文書の優先度を決定する（Ｓ４）。
【００３６】
文書優先度決定部１０３により各文書の優先度が決定されると、文書拡大表示部１０５が、優先度が最も高い文書を１つ抽出して、当該文書を示す画像を拡大してディスプレイ４０に表示する（Ｓ５）。このとき、文書拡大表示部１０５は、カメラ３０による撮像画像の一部分を拡大して当該文書を拡大表示してもよいし、情報処理装置１がインターネットと接続可能な状態にあればネットワークインターフェイス５０を通じてクラウドサーバーにアクセスして、該当文書のデータをダウンロードしてそれを表示してもよい。
【００３７】
図５は、閲覧モードでの文書の拡大表示例を示す図である。文書拡大表示部１０５により、複数の文書の中から優先度の最も高い文書が選択されてディスプレイ４０に拡大表示される（図５ではＤｏｃ−Ｅが選択された例を示す）。これにより、ユーザーは、図４に示したような掲示板に掲示された複数の文書の中から、自分にとって重要と想定される文書のみを真っ先に読むことができる。
【００３８】
図３へ戻り、閲覧モードの画面においてユーザーが例えばスワイプ操作を行い、これがタッチパネル機能により認識されると（Ｓ６でＹＥＳ）、文書拡大表示部１０５は、次に優先度が高い文書を示す画像を拡大表示する（Ｓ７）。この後、処理はステップＳ６へ戻る。このようにして、ユーザーは、掲示板に掲示された複数の文書を優先度が高い順に読むことができる。
【００３９】
図５に示すように閲覧モードの画面には、文書拡大表示部１０５により、一覧ボタンＢ１、保存ボタンＢ２、及びメモボタンＢ３が表示される。一覧ボタンＢ１は、画面表示を一覧モードに切り替える指示を受け付けるための操作ボタンである。保存ボタンＢ２は、拡大表示された文書を情報処理装置１に保存する指示を受け付けるための操作ボタンである。メモボタンＢ３は、拡大表示された文書にメモを記す指示を受け付けるための操作ボタンである。
【００４０】
閲覧モードの画面において保存ボタンＢ２がタッチ操作され、これがタッチパネル機能により認識されると（Ｓ６でＮＯ、Ｓ８でＹＥＳ）、文書拡大表示部１０５は、拡大表示している文書をメモリー２０に保存する（Ｓ９）。この後、処理はステップＳ６へ戻る。なお、カメラ３０による撮像画像の部分画像を保存してもよいし、クラウドサーバーからダウンロードした文書データを保存してもよい。
【００４１】
閲覧モードの画面においてメモボタンＢ３がタッチ操作され、これがタッチパネル機能により認識されると（Ｓ８でＮＯ、Ｓ１０でＹＥＳ）、文書拡大表示部１０５は、拡大表示している文書についてのメモ入力を受け付ける（Ｓ１１）。例えば、文書拡大表示部１０５は、ディスプレイ４０にソフトキーボードを表示させ、当該ソフトキーボードに対するユーザーによるタッチ操作に基づいてタッチパネル機能が文字入力を受け付ける。文書拡大表示部１０５は、受け付けられた文字群をメモ書きとして、当該文書のメタ情報に関連付けて記憶しておく。これにより、ユーザーは拡大表示された文書に自由にメモ書きする感覚を得ることができる。このメモ書きは、文書拡大表示部１０５により、後述する一覧モードでの表示時に表示される。Ｓ１１の後、処理はステップＳ６へ戻る。
【００４２】
閲覧モードの画面において一覧ボタンＢ１がタッチ操作され、これがタッチパネル機能により認識されると（Ｓ１０でＮＯ、Ｓ１２でＹＥＳ）、文書拡大表示部１０５は、ディプレイ４０の表示画面を一覧モードに切り換え、この表示画面では、Ｓ２で認識された複数の文書を示す画像をディスプレイ４０に表示する（Ｓ１３）。一方、閲覧モードの画面において一覧ボタンＢ１がタッチ操作されなければ（Ｓ１２でＮＯ）、処理はステップＳ６へ戻る。
【００４３】
図６は、一覧モードでの文書の一覧表示例を示す図である。図６に示すように、文書拡大表示部１０５は、一覧モードでは、カメラ３０による撮像画像に写った各文書に、文書メタ情報取得部１０２により取得されたその文書の個別情報、例えば、その文書の既読の有無及び既読日時情報、その文書の対象地域情報などを重ねてディスプレイ４０に表示する。さらに、文書拡大表示部１０５は、一覧モードにおいては、文書にステップＳ１１で入力されたメモ書きが付随している場合は、当該メモ書きを吹き出しＭ１の形態からなる画像によりディスプレイ４０に表示する。これにより、各文書に付随する様々な情報をユーザーが一度に視認することができ、各文書がどのような内容を示す文書であるのかを、文書を実際に開かなくてもカメラ３０で撮影するだけで把握することが可能になる。
【００４４】
一覧モードの画面には閲覧ボタンＢ４が含まれる。閲覧ボタンＢ４は、画面表示を閲覧モードに切り替えるための操作ボタンである。閲覧ボタンＢ４がタッチ操作され、タッチパネル機能によりこれが認識されると、文書拡大表示部１０５は、ディスプレイ４０の表示画面を閲覧モードに切り換え、優先度の最も高い文書のみを示す画像を拡大表示する。また、一覧モードの画面において、ユーザーが任意の文書をタッチ操作し、タッチパネル機能によりこれが認識されると、文書拡大表示部１０５は、ディスプレイ４０の表示画面を閲覧モードに切り換え、当該タッチ操作された文書を示す画像を拡大表示する。
【００４５】
以上のように、本実施形態に係る情報処理装置１によれば、カメラ３０の撮像画像に写った複数の文書のそれぞれが認識され、複数の文書の中からユーザーにとって重要と想定される文書が拡大表示される。これにより、カメラ３０の撮像画像に含まれる多くの情報の中からユーザーが所望する情報を絞り込んで表示することができ、ユーザーの利便性を向上させることができる。
【００４６】
＜その他の変形例＞
【００４７】
上記の実施の形態で説明した情報処理プログラムをコンピューター読み取り可能な非一時的な記録媒体、例えば、ハードディスク、CD-ROM、DVD-ROM、半導体メモリー等に記録するようにしてもよい。この場合、当該情報処理プログラムを記録したコンピューター読み取り可能な非一時的な記録媒体が、本発明の一実施形態となる。
【００４８】
また、文書認識部１０１、文書メタ情報取得部１０２、文書優先度決定部１０３、スケジュール連携部１０４、及び文書拡大表示部１０５は制御ユニット１０で実行されるコンピュータープログラムとして実現される以外にハード回路で構成することも可能である。
【符号の説明】
【００４９】
１      情報処理装置
３０    カメラ
４０    ディスプレイ
１０１  文書認識部
１０２  文書メタ情報取得部
１０３  文書優先度決定部
１０４  スケジュール連携部
１０５  文書拡大表示部
【図１】
2019020843.tif 000003
【図２】
2019020843.tif 000004
【図３】
2019020843.tif 000005
【図４】
2019020843.tif 000006
【図５】
2019020843.tif 000007
【図６】
2019020843.tif 000008